(57)【要約】【課題】自己と同一機能を有する他の重量計と接続し、これら接続された複数の重量計の少なくともいずれかの重量計に各重量計の重量データを集約可能にする。【解決手段】計量台１２上の測定対象の重量データを測定する重量測定部３０と、重量測定部３０により測定された重量データの結果を表示する表示部１４と、他の重量計との間で重量データの通信を行うための通信部４０と、通信部４０を介して他の重量計と通信可能であるか否かを判定する判定部７１と、判定部７１の判定結果が他の重量計と通信不能である場合は、重量測定部３０により測定された重量データを表示部１４に表示させるように制御し、判定部７１の判定結果が他の重量計と通信可能である場合は、他の重量計との間で重量データの通信を行うように制御する制御部７２とを備える重量計。【選択図】      図１
2010243279.tif 000002
【特許請求の範囲】
【請求項１】
計量台上の測定対象の重量データを測定する重量測定部と、
前記重量測定部により測定された前記重量データの結果を表示する表示部と、
他の重量計との間で前記重量データの通信を行うための通信部と、
前記通信部を介して他の重量計と通信可能であるか否かを判定する判定部と、
前記判定部の判定結果が他の重量計と通信不能である場合は、前記重量測定部により測定された前記重量データを前記表示部に表示させるように制御し、
前記判定部の判定結果が他の重量計と通信可能である場合は、他の重量計との間で前記重量データの通信を行うように制御する制御部と、を備える、
重量計。
【請求項２】
前記判定部は、当該重量計が他の重量計と通信可能であると判定した場合は、当該重量計がメインの重量計であるかサブの重量計であるかをさらに判定し、
前記制御部は、
前記判定部によって、当該重量計はメインの重量計であると判定された場合は、当該重量計の前記重量測定部により測定された前記重量データと、前記通信部を介して受信した他の重量計の重量データとを集約して、当該重量計の前記表示部に表示させ、
前記判定部によって、当該重量計はサブの重量計であると判定された場合は、当該重量計の前記重量測定部により測定された前記重量データを、前記通信部を介して前記メインの重量計へ送信するように制御する、
請求項１の重量計。
【請求項３】
前記判定部は、
当該重量計が、上位の重量計と通信不能であり、且つ、下位の重量計と通信可能である場合は、当該重量計はメインの重量計であると判定する一方、
当該重量計が、上位の重量計と通信可能である場合は、当該重量計はサブの重量計であると判定する、
請求項２の重量計。
【請求項４】
起動信号を他の重量計へ送信するための起動信号送信部をさらに備え、
前記判定部は、
重量計の動作を開始するための起動スイッチがオン状態になるように操作されたことを検知すると、当該重量計がメインの重量計であるかサブの重量計であるかを判定し、
前記起動信号送信部は、
前記判定部によって、当該重量計がメインの重量計であると判定された場合は、前記起動信号を他の重量計へ送信する、
請求項３の重量計。
【請求項５】
起動信号を他の重量計へ送信するための起動信号送信部をさらに備え、
前記判定部は、
重量計の動作を開始するための起動スイッチがオン状態になるように操作されたことを検知すると、当該重量計がメインの重量計であるかサブの重量計であるかを判定し、
前記起動信号送信部は、
前記判定部の判定結果、当該重量計はメインの重量計であると判定された場合は、下位の重量計へ起動信号を送信し、
前記判定部の判定結果、当該重量計はサブの重量計であって、且つ、下位の重量計と通信可能であると判定された場合は、上位の重量計および下位の重量計の各々へ前記起動信号を送信し、
前記判定部の判定結果、当該重量計はサブの重量計であって、且つ、下位の重量計と通信不能であると判定された場合は、上位の重量計へ前記起動信号を送信する、
請求項３の重量計。
【請求項６】
前記判定部は、
重量計の動作を開始するための起動スイッチがオン状態になるように操作されたことを検知すると、当該重量計はメインの重量計であると判定する一方、
起動信号の受信を検知すると、当該重量計はサブの重量計であると判定する、
請求項２の重量計。
【請求項７】
前記判定部の判定結果、当該重量計はメインの重量計であると判定されると、他の重量計へ起動信号を送信する起動信号送信部をさらに備える、
請求項６の重量計。
【発明の詳細な説明】
【技術分野】
【０００１】
本発明は、自己と同一機能を有する他の重量計と接続可能な重量計に関する。
【背景技術】
【０００２】
測定面（計量台）に載せられた物体の重量を測定して重量データを出力する重量測定部と、重量測定部から出力される重量データを表示する表示部とを備える重量計が従来から知られている（例えば特許文献１参照）。
【先行技術文献】
【特許文献】
【０００３】
【特許文献１】特開２００８−２６８１４７号公報
【発明の概要】
【発明が解決しようとする課題】
【０００４】
しかしながら、特許文献１に開示された技術では、例えば、測定対象が、（ａ）単一の重量計の計量台に載せきれないほど大きい場合、（ｂ）単一の重量計の計量範囲を超えるほど重たい場合、（ｃ）複数から成すものであり、当該測定対象の個々の情報（重量値、全体に対する比率など）を同時に得たいような場合には、当該測定対象の重量を測定することは困難であるという問題があった。
以上の事情に鑑みて、本発明は、自己と同一機能を有する他の重量計と接続し、これら接続された複数の重量計の少なくともいずれかの重量計に各重量計の重量データを集約可能にすることを目的としている。
【課題を解決するための手段】
【０００５】
以上の課題を解決するために、本発明に係る重量計は、計量台上の測定対象の重量データを測定する重量測定部と、重量測定部により測定された重量データの結果を表示する表示部と、他の重量計との間で重量データの通信を行うための通信部と、通信部を介して他の重量計と通信可能であるか否かを判定する判定部と、判定部の判定結果が他の重量計と通信不能である場合は、重量測定部により測定された重量データを表示部に表示させるように制御し、判定部の判定結果が他の重量計と通信可能である場合は、他の重量計との間で重量データの通信を行うように制御する制御部と、を備える。
この態様によれば、測定対象が単一の重量計の計量台に載せきれないほど大きい面積を有するような場合や測定対象が単一の重量計で測れないような重さを有するような場合には、各重量計を通信可能な状態にして、当該測定対象を複数の重量計の計量台の全てにわたって載せることで、当該測定対象の重量を容易に測定できる。あるいは、測定対象が複数から成すものであり、当該測定対象の個々の情報（重量値、全体に対する比率など）を同時に得たいような場合には、各重量計を通信可能な状態にして、当該測定対象を複数の重量計の計量台の全てに振り分けて載せることで、当該測定対象の重量を容易に測定できる。
【０００６】
本発明に係る重量計の態様として、判定部は、当該重量計が他の重量計と通信可能であると判定した場合は、当該重量計がメインの重量計であるかサブの重量計であるかをさらに判定し、制御部は、判定部によって、当該重量計はメインの重量計であると判定された場合は、当該重量計の重量測定部により測定された重量データと、通信部を介して受信した他の重量計の重量データとを集約して、当該重量計の表示部に表示させ、判定部によって、当該重量計はサブの重量計であると判定された場合は、当該重量計の重量測定部により測定された前記重量データを、通信部を介してメインの重量計へ送信するように制御する。
この態様によれば、メインの重量計に各重量計の重量データが集約されるから、当該重量計の表示部に表示するから、当該メインの重量計の表示部を見るだけで測定結果を容易に把握できるという利点がある。また、この態様によれば、例えば各重量計が当該重量計の重量データを他の処理装置へ個別に出力し、当該処理装置にて各重量データを集約して表示するという態様（例えば図１２に示される態様）とは異なり、各重量計の重量データを集約して表示するための処理装置を重量計とは別に設ける必要は無いから、構成が簡素化されるという利点がある。
【０００７】
本発明に係る重量計の第１の形態として、判定部は、当該重量計が、上位の重量計と通信不能であり、且つ、下位の重量計と通信可能である場合は、当該重量計はメインの重量計であると判定する一方、当該重量計が、上位の重量計と通信可能である場合は、当該重量計はサブの重量計であると判定する。さらに言えば、起動信号を他の重量計へ送信するための起動信号送信部を備え、判定部は、重量計の動作を開始するための起動スイッチがオン状態になるように操作されたことを検知すると、当該重量計がメインの重量計であるかサブの重量計であるかを判定し、起動信号送信部は、判定部によって、当該重量計がメインの重量計であると判定された場合は、起動信号を他の重量計へ送信する。この態様によれば、サブの重量計の起動スイッチがオン状態になるように操作されても、当該サブの重量計の起動信号送信部は、起動信号を他の重量計へ送信しない。したがって、ユーザーの誤操作に起因して各重量計が動作可能な状態になることを防止できる
【０００８】
本発明に係る重量計の第２の形態として、起動信号を他の重量計へ送信するための起動信号送信部をさらに備え、判定部は、重量計の動作を開始するための起動スイッチがオン状態になるように操作されたことを検知すると、当該重量計がメインの重量計であるかサブの重量計であるかを判定し、起動信号送信部は、判定部の判定結果、当該重量計はメインの重量計であると判定された場合は、下位の重量計へ起動信号を送信し、判定部の判定結果、当該重量計はサブの重量計であって、且つ、下位の重量計と通信可能であると判定された場合は、上位の重量計および下位の重量計の各々へ起動信号を送信し、判定部の判定結果、当該重量計はサブの重量計であって、且つ、下位の重量計と通信不能であると判定された場合は、上位の重量計へ起動信号を送信する。
この態様によれば、メインの重量計の起動スイッチをオン状態になるように操作した場合であっても、サブの重量計の起動スイッチをオン状態になるように操作した場合であっても、当該重量計の起動信号送信部は、起動信号を他の重量計へ送信する。したがって、どの重量計の起動スイッチをオン状態になるように操作しても、各重量計が動作可能な状態になるという利点がある。
【０００９】
本発明に係る重量計の第３の形態として、判定部は、重量計の動作を開始するための起動スイッチがオン状態になるように操作されたことを検知すると、当該重量計はメインの重量計であると判定する一方、起動信号の受信を検知すると、当該重量計はサブの重量計であると判定する。また、判定部の判定結果、当該重量計はメインの重量計であると判定されると、他の重量計へ起動信号を送信する起動信号送信部をさらに備える。
この態様によれば、各重量計のうち、起動スイッチをオン状態になるように操作された重量計だけがメインの重量計となる。したがって、各重量計の重量データの集約させる位置の選択が簡便にできるという利点がある。
【図面の簡単な説明】
【００１０】
【図１】本発明の第１実施形態に係る重量計の外観を示す平面図である。
【図２】同実施形態に係る重量計の詳細な構成を示す図である。
【図３】各重量計間の接続態様を示す図である。
【図４】起動スイッチオンのときの動作を示すフローチャートである。
【図５】起動スイッチオンのときの動作を示すフローチャートである。
【図６】起動信号受信のときの動作を示すフローチャートである。
【図７】各重量計の具体的な動作を示す図である。
【図８】重量測定処理を示す図である。
【図９】表示の態様の一例を示す図である。
【図１０】表示の態様の一例を示す図である。
【図１１】表示の態様の一例を示す図である。
【図１２】対比例の概略構成を示す図である。
【図１３】本発明の第２実施形態に係る重量計の起動スイッチオンのときの動作を示すフローチャートである。
【図１４】同実施形態に係る重量計の起動信号受信のときの動作を示すフローチャートである。
【図１５】各重量計の具体的な動作を示す図である。
【図１６】本発明の第３実施形態に係る重量計の起動スイッチオンのときの動作を示すフローチャートである。
【図１７】同実施形態に係る重量計の起動信号受信のときの動作を示すフローチャートである。
【図１８】各重量計の具体的な動作を示すフローチャートである。
【図１９】重量測定処理を示す図である。
【発明を実施するための形態】
【００１１】
＜Ａ：第１実施形態＞
＜Ａ−１：構成＞
図１は、本発明の第１実施形態に係る重量計（１０Ａ，１０Ｂ，１０Ｃ）の外観を示す平面図である。図１に示すように、各重量計（１０Ａ，１０Ｂ，１０Ｃ）は、測定対象である人が載ったり、あるいは、測定対象である物を載せたりして、その重量を測定するための計測台１２に、表示部１４と、起動スイッチ１６とを備える。また、重量計１０Ａと１０Ｂとは通信用ケーブル２０Ａを介して通信可能な状態に接続され、重量計１０Ｂと重量計１０Ｃとは通信用ケーブル２０Ｂを介して通信可能な状態に接続される。
【００１２】
図２は、重量計１０Ａの詳細な構成を示す図である。なお、重量計１０Ｂおよび１０Ｃの構成は重量計１０Ａの構成と同じである。図２に示すように、重量計１０Ａは、計量台１２に、重量測定部３０（例えば、ロードセル及び重量検出回路）と、表示部１４（例えば、ＬＣＤ）と、通信部４０と、電源６０と、起動スイッチ１６と、マイクロコンピュータ７０とを備える。
重量測定部３０は、計量台に載ったり又は載せられた測定対象、すなわち、計量台上の測定対象の重量データを測定する手段である。
表示部１４は、重量データの結果を表示する手段である。
通信部４０は、上位の重量計および下位の重量計の少なくとも一方と通信を行うための手段である。本実施形態では、通信部４０は、上位の重量計と通信を行うための第１ポート４２と、下位の重量計と通信を行うための第２ポート４４とを含む。
電源６０は、当該重量計の電気系統各部に電力を供給するための手段である。
起動スイッチ１６は、当該重量計の動作を開始するための手段である。
マイクロコンピュータ７０は、ＣＰＵ、制御および演算用プログラム等を記憶するＲＯＭ、測定や通信により得られた重量データの結果及びその他の演算結果等を記憶するＲＡＭ、タイマー、ＩＯポート等を備え、各種の演算・判定・制御等の処理を行う。
ここで、「上位の重量計」とは、複数の重量計を接続して一連の重量計システムとし、そのうちのある重量計に着眼した場合に、この一連の重量計システムにおいて一方の端側（先端側）に位置する重量計をいう。また、「下位の重量計」とは、複数の重量計を接続して一連の重量計システムとし、そのうちのある重量計に着眼した場合に、この一連の重量計システムにおいて他方の端側（末端側）に位置する重量計をいう。本実施形態においては、一連の重量計システムにおいて一方の端（先端）を重量計１０Ａとし、一方、一連の重量計システムにおいて他方の端（末端）を重量計１０Ｃとして説明する。これによると、例えば、重量計１０Ｂに着眼すると、重量計１０Ａは上位の重量計となり、重量計１０Ｃは下位の重量計となる。すなわち、重量計１０Ａが重量計１０Ｂに対して上位の重量計となり、また、重量計１０Ｂが重量計１０Ａに対して下位の重量計、かつ、重量計１０Ｃに対して上位の重量計となり、更に、重量計１０Ｃが重量計１０Ｂに対して下位の重量計となるものである。
【００１３】
マイクロコンピュータ７０は、判定部７１と、制御部７２と、起動信号送信部７３とを有する。判定部７１は、通信部４０を介して他の重量計と通信可能であると否かを判定する機能を有する。より具体的には、判定部７１は、第１ポート４２を介して上位の重量計と通信可能であるか否かを判定するとともに、第２ポート４４を介して下位の重量計と通信可能であるか否かを判定する。判定部７１は、当該重量計が他の重量計と通信可能であると判定した場合は、当該重量計がメインの重量計であるかサブの重量計であるかをさらに判定する機能を有する。ここで、「メインの重量計」とは、通信部４０を介して他の重量計の重量データを受信し、その受信した各重量計の重量データと自身の重量データとを集約して表示部１４に表示する重量計である。一方、「サブの重量計」とは、自身の重量データ、または、通信部４０を介して受信した他の重量計の重量データと自身の重量データとを通信部４０を介して別の他の重量計（受信のときの送信元となる他の重量計でないもの）へ送信する重量計である。
【００１４】
制御部７２は、判定部７１の判定結果が他の重量計と通信不能である場合は、重量測定部３０により測定された重量データを表示部１４に表示させるように制御する一方、判定部７１の判定結果が他の重量計と通信可能である場合は、他の重量計との間で重量データの通信を行うように制御する機能を有する。そして、制御部７２は、判定部７１によって、当該重量計はメインの重量計であると判定された場合は、当該重量計の重量測定部３０により測定された重量データと、通信部４０を介して受信した他の重量計の重量データとを集約して、当該重量計の表示部１４に表示させる一方、判定部７１によって、当該重量計はサブの重量計であると判定された場合は、当該重量計の重量測定部３０により測定された重量データを、通信部４０を介してメインの重量計へ送信するように制御する機能を有する。
【００１５】
起動信号送信部７３は、起動信号を他の重量計へ送信する機能を有する。なお、「起動信号」とは、当該重量計の動作を開始させるための信号である。マイクロコンピュータ７０は、所定のプログラムを実行することによって、上述の７１〜７３の機能を実現する。なお、マイクロコンピュータ７０は一例であり、上述の７１〜７３の機能を実現するハードウェアの種類は任意である。要するに、所定のプログラムを実行することによって、上述の７１〜７３の機能を実現できるハードウェアを採用することができる。
【００１６】
図３は、各重量計１０間の接続態様を具体的に示す図である。図３に示すように、重量計１０Ａの第１ポート４２には通信用ケーブルが接続されておらず、第１ポート４２を介して上位の重量計と通信を行うことはできない状態である。一方、重量計１０Ａの第２ポート４４と重量計１０Ｂの第１ポート４２とは通信用ケーブル２０Ａを介して接続されている。これにより、重量計１０Ａおよび１０Ｂは通信可能な状態となる。また、重量計１０Ｂの第２ポート４４と重量計１０Ｃの第１ポート４２とは通信用ケーブル２０Ｂを介して接続されている。これにより、重量計１０Ｂおよび１０Ｃは通信可能な状態となる。また、重量計１０Ｃの第２ポート４４には通信用ケーブルが接続されておらず、第２ポート４４を介して下位の重量計と通信を行うことは不可能な状態である。
【００１７】
＜Ａ−２：起動スイッチがオン作動したときの当該重量計の動作＞
次に、接続されたこれら重量計のうちのいずれかの重量計の起動スイッチ１６がオン作動したときの当該重量計の動作について説明する。図４は、起動スイッチ１６がオン作動したときの当該重量計の具体的な動作を示すフローチャートである。先ず、ユーザーによって、いずれかの重量計の起動スイッチ１６がオン操作されると（ステップＳ１）、電源６０から当該重量計の電気系統各部に電力が供給される。当該重量計のマイクロコンピュータ７０の判定部７１は、起動スイッチ１６がオン状態になるように操作されたことを検知すると、当該重量計が、メインの重量計なのか、サブの重量計なのか、あるいは単独で使用されるのかを判定する。本実施形態においては、判定部７１は、当該重量計が、上位の重量計と通信不能であり、且つ、下位の重量計と通信可能である場合は、当該重量計はメインの重量計であると判定する一方、当該重量計が、上位の重量計と通信可能である場合は、当該重量計はサブの重量計であると判定する。以下、その具体的な内容を説明する。
【００１８】
電源６０から当該重量計の電気系統各部に電力が供給されると、先ず、マイクロコンピュータ７０は、当該重量計は上位の重量計と通信可能であるか否かを判定する（ステップＳ２）。本実施形態では、マイクロコンピュータ７０は、第１ポート４２に通信用ケーブル２０が接続されていることを検知することで、当該重量計が上位の重量計と通信可能であるか否かを判定する。より具体的には、例えば、マイクロコンピュータ７０は、当該重量計の第１ポート４２から接続確認のための送信信号を送り、接続確認のための返信信号を検知した場合は、当該重量計は上位の重量計と通信可能であると判定する。一方、接続確認のための返信信号の返信を一定時間内に検知しない場合は、当該重量計は上位の重量計と通信不能であると判定する。
【００１９】
ステップＳ２の結果が否定の場合、マイクロコンピュータ７０は、当該重量計が下位の重量計と通信可能であるか否かを判定する（ステップＳ３）。本実施形態では、マイクロコンピュータ７０は、第２ポート４４に通信用ケーブル２０が接続されていることを検知することで、当該重量計が下位の重量計と通信可能であるか否かを判定する。より具体的には、例えば、マイクロコンピュータ７０は、当該重量計の第２ポート４４から接続確認のための送信信号を送り、接続確認のための返信信号を検知した場合は、当該重量計は下位の重量計と通信可能であると判定する。一方、接続確認のための返信信号を一定時間内に検知しない場合は、当該重量計は下位の重量計と通信不能であると判定する。
【００２０】
ステップＳ３の結果が肯定の場合、マイクロコンピュータ７０は、当該重量計がメインの重量計であると判定し（ステップＳ４）、後述するステップＳ１０に続く。
一方、ステップＳ３の結果が否定の場合、マイクロコンピュータ７０は、当該重量計が単独で使用されると判定し（ステップＳ５）、後述する＜Ａ−６：単独使用時の動作＞に続く。
【００２１】
また、ステップＳ２の結果が肯定である場合、マイクロコンピュータ７０は、当該重量計が下位の重量計と通信可能であるか否かを判定する（ステップＳ６）。本実施形態では、マイクロコンピュータ７０は、第２ポート４４に通信用ケーブル２０が接続されていることを検知することで、当該重量計が下位の重量計と通信可能であるか否かを判定する。より具体的には、例えば、マイクロコンピュータ７０は、当該重量計の第２ポート４４から接続確認のための送信信号を送り、接続確認のための返信信号を検知した場合は、当該重量計は末端以外（中間）に位置するサブの重量計であると判定し（ステップＳ７）、当該重量計の動作をオフ（起動スイッチがオン作動する前の状態）にする制御をする（ステップＳ９）。一方、接続確認のための返信信号の返信を検知しない場合は、当該重量計が末端に位置するサブの重量計であると判定し（ステップＳ８）、当該重量計の動作をオフ（起動スイッチがオン作動する前の状態）にする制御をする（ステップＳ９）。
【００２２】
図５は、図４のステップＳ４以降の処理を示すフローチャートである。本実施形態では、マイクロコンピュータ７０の起動信号送信部７３は、判定部７０によって、当該重量計がメインの重量計であると判定された場合は、起動信号を他の重量計へ送信する。より具体的には、ステップＳ４の後、メインの重量計であると判定された重量計のマイクロコンピュータ７０は、当該重量計の第２ポート４４から起動信号を下位の重量計へ送信する（ステップＳ１０）。当該重量計のマイクロコンピュータ７０は、当該重量計の重量測定部３０によるゼロデータ（測定対象が当該重量計の計量台に載っていないときの重量データ）の測定を制御する（ステップＳ１１）。そして、当該重量計のマイクロコンピュータ７０は、第２ポート４４を介して下位の重量計のゼロデータが送信されてくるのを待ち、下位の重量計のゼロデータを受信したことを確認すると、接続した一連の重量計がシステムとして、重量測定の準備が完了したと判断する（ステップＳ１２）。なお、本実施形態では、ステップＳ１０の処理の後にステップＳ１１の処理が行われているが、これに限らず、ステップＳ１１の処理をステップＳ１０の処理よりも先に行ってもよいし、ステップＳ１０の処理とステップＳ１１の処理とを同時に行ってもよい。
【００２３】
＜Ａ−３：上位の重量計から起動信号を受信したときの当該重量計の動作＞
次に、上位の重量計から起動信号を受信したときにおける当該重量計の動作について説明する。図６は、起動信号を受信したときにおける重量計の具体的な動作を示すフローチャートである。上位の重量計から起動信号を受信すると、当該重量計の電源６０から当該重量計の電気系統各部に電力が供給される（ステップＳ１）。当該重量計のマイクロコンピュータ７０の判定部７１は、起動信号の受信を検知すると、当該重量計が、末端以外のサブの重量計なのか、あるいは末端のサブの重量計なのかを判定する。そして、当該重量計のマイクロコンピュータ７０の起動信号送信部７３は、判定部７１によって、当該重量計が末端以外のサブの重量計であると判定された場合は、受信した起動信号を下位の重量計へ送信する一方、判定部７１によって、当該重量計が末端のサブの重量計であると判定された場合は、受信した起動信号を他の重量計へ送信することは行わない。以下、その具体的な内容について説明する。
【００２４】
起動信号の受信により、電源６０から当該重量計の電気系統各部に電力が供給されると、当該重量計のマイクロコンピュータ７０は、当該重量計が下位の重量計と通信可能であるか否かを判定する（ステップＳ２）。本実施形態では、マイクロコンピュータ７０は、第２ポート４４に通信用ケーブル２０が接続されていることを検知することで、当該重量計が下位の重量計と通信可能であるか否かを判定する。より具体的には、例えば、マイクロコンピュータ７０は、当該重量計の第２ポート４４から接続確認のための送信信号を送り、接続確認のための返信信号を検知した場合は、当該重量計は下位の重量計と通信可能であると判定する。一方、接続確認のための返信信号を一定時間内に検知しない場合は、当該重量計は下位の重量計と通信不能であると判定する。
ステップＳ２の結果が肯定の場合、当該重量計のマイクロコンピュータ７０は、当該重量計は末端以外（中間）に位置するサブの重量計であると判定し（ステップＳ３）、当該重量計の第２ポート４４から起動信号を下位の重量計へ送信する（ステップＳ４）。次いで、当該重量計のマイクロコンピュータ７０は、当該重量計の重量測定部３０によるゼロデータの測定を制御する（ステップＳ５）。
当該重量計のマイクロコンピュータ７０は、当該重量計の第２ポート４４から下位の重量計のゼロデータが送信されてくるのを待ち、下位の重量計のゼロデータを受信すると、その受信したゼロデータと自身のゼロデータとを上位の重量計へ送信するように制御する（ステップＳ６）。
なお、本実施形態では、ステップＳ４の処理の後にステップＳ５の処理が行われているが、これに限らず、ステップＳ５の処理をステップＳ４の処理よりも先に行ってもよいし、ステップＳ４の処理とステップＳ５の処理とを同時に行ってもよい。
【００２５】
一方、ステップＳ２の結果が否定の場合、当該重量計のマイクロコンピュータ７０は、当該重量計が末端に位置するサブの重量計であると判定し（ステップＳ７）、当該重量計の重量測定部３０によるゼロデータの測定を制御し（ステップＳ８）、自身のゼロデータを上位の重量計へ送信するように制御する（ステップＳ９）。
【００２６】
＜Ａ−４：本実施形態における具体的な動作＞
図７は、本実施形態において、重量計１０Ａの起動スイッチ１６がオン操作されたときの各重量計（１０Ａ，１０Ｂ，１０Ｃ）の具体的な動作を示すチャート図である。以下、図７を参照しながら、本実施形態における具体的な動作を説明する。
【００２７】
最初に、重量計１０Ａの起動スイッチ１６がオン操作されると、当該重量計１０Ａは、図４のステップＳ１→Ｓ２→Ｓ３→Ｓ４の処理を経て、メインの重量計であると判定する。
そして、当該重量計１０Ａは、図５のステップＳ１０の処理を行うことによって、起動信号を重量計１０Ｂへ送信し（図７に示すａ１）、当該重量計１０Ａの重量測定部３０によるゼロデータを測定し待機する。
【００２８】
重量計１０Ｂは、重量計１０Ａから起動信号を受信すると、当該重量計１０Ｂは、図６のステップＳ１→Ｓ２→Ｓ３の処理を経て、末端以外（中間）に位置するサブの重量計であると判定する。
そして、当該重量計１０Ｂは、図６のステップＳ４の処理を行うことによって、起動信号を重量計１０Ｃへ送信し（図７に示すａ２）、当該重量計１０Ｂの重量測定部３０によるゼロデータを測定し待機する。
【００２９】
重量計１０Ｃは、重量計１０Ｂから起動信号を受信すると、当該重量計１０Ｃは、図６のステップＳ１、Ｓ２及びＳ７の処理を経て、末端に位置するサブの重量計であると判定する。
そして、当該重量計１０Ｃは、図６のステップＳ８及びＳ９の処理を行うことによって、当該重量計１０Ｃの重量測定部３０によるゼロデータを測定し、自身のゼロデータを重量計１０Ｂへ送信し（図７に示すａ３）、後述する＜Ａ−５：重量測定処理＞に続く。
【００３０】
重量計１０Ｂは、待機してから重量計１０Ｃから重量計１０Ｃのゼロデータを受信すると、図６のステップＳ６の処理を行うことによって、その重量計１０Ｃのゼロデータと自身のゼロデータとを重量計１０Ａへ送信し（図７に示すａ４）、後述する＜Ａ−５：重量測定処理＞に続く。
【００３１】
重量計１０Ａは、待機してから重量計１０Ｂから重量計１０Ｂ及び重量計１０Ｃのゼロデータを受信すると、図５のステップＳ１２の処理を行うことによって、接続した一連の重量計がシステムとして、重量測定の準備が完了したと判断し、後述する＜Ａ−５：重量測定処理＞に続く。
【００３２】
＜Ａ−５：重量測定処理＞
図７において、各重量計（１０Ａ，１０Ｂ，１０Ｃ）が重量測定の準備が完了した後、本実施形態の各重量計（１０Ａ，１０Ｂ，１０Ｃ）の計量台１２のすべてに測定対象が載ったり又は載せられたときの重量測定処理について説明する。図８は、このときの重量測定処理の具体的な内容を示すチャート図である。先ず、各重量計（１０Ａ，１０Ｂ，１０Ｃ）のマイクロコンピュータ７０は、当該重量計の計量台１２上の測定対象の重量データの測定を実行するように当該重量計の重量測定部３０を制御する（ステップＳ１）。
【００３３】
続いて、末端のサブの重量計１０Ｃのマイクロコンピュータは、当該重量計１０Ｃの重量測定部３０で測定された重量データを、第１ポート４２を介して上位の重量計１０Ｂへ送信するように制御する（ステップＳ２）。
【００３４】
末端以外のサブの重量計１０Ｂのマイクロコンピュータは、下位の重量計１０Ｃから第２ポート４４を介して重量データを受信すると、当該受信した重量データと当該重量計１０Ｂの重量データとを第１ポート４２を介して上位の重量計１０Ａへ送信するように制御する（ステップＳ３）。より具体的には、例えば、重量計１０Ｂのマイクロコンピュータは、下位の重量計１０Ｃから第２ポート４４を介して重量データを受信すると、その受信した重量データを、当該重量計１０Ｂの重量測定部３０から出力された重量データに直列的に付加してシリアルなデータとしたうえで、当該シリアルデータを、第１ポート４２を介して上位の重量計１０Ａへ送信するように制御する。本実施形態では、重量計１０Ｂのマイクロコンピュータは、第２ポート４４を介して受信した重量計１０Ｃの重量データを、重量計１０Ｂの重量データの末尾に付加している。
【００３５】
メインの重量計１０Ａのマイクロコンピュータは、下位の重量計１０Ｂから第２ポート４４を介して重量データを受信すると、その受信した重量データと当該重量計１０Ａの重量データとを集約して、当該重量計１０Ａの表示部１４に表示させるように制御する（ステップＳ４）。より具体的には、例えば、重量計１０Ａのマイクロコンピュータは、下位の重量計１０Ｂから第２ポート４４を介してシリアル形式の重量データを受信すると、この受信したシリアルデータの前半部分から重量計１０Ｂの重量データと判別する一方、シリアルデータの後半部分から重量計１０Ｃの重量データと判別し、これら判別した重量計１０Ｂの重量データ及び重量計１０Ｃの重量データと、当該重量計１０Ａの重量測定部３０により測定した重量データとを当該重量計１０Ａの表示部１４に表示させるように制御する。
【００３６】
なお、このときの表示の態様は任意である。いま、重量計１０Ｃの重量データが「４０ｋｇ」を示すものであり、重量計１０Ｂの重量データが「１０ｋｇ」を示すものであり、重量計１０Ａの重量データが「３０ｋｇ」を示すものである場合を想定する。例えば、各重量計の重量データの合計値を表示部１４に表示する態様においては、図９に示すように、各重量計の重量データの合計値である「８０ｋｇ」がメインの重量計１０Ａの表示部１４に表示される。また、図１０に示すように、各重量計の重量データを個別に表示するという態様とすることもできるし、図１１に示すように、各重量計の重量データの合計値に対する当該重量計の重量データの割合を表示するという態様とすることもできる。
【００３７】
以上に説明したように、本第１実施形態によれば、例えば、測定対象が１台（又は２台）の重量計の計量台に載せきれないほど大きい面積を有するような場合や測定対象が１台（又は２台）の重量計で測れないような重さを有するような場合には、当該測定対象を各重量計（１０Ａ，１０Ｂ，１０Ｃ）の計量台の全てにわたって載せることで当該測定対象の重量を容易に測定できる。あるいは、測定対象が複数から成すものであり、当該測定対象の個々の情報（重量値、全体に対する比率など）を同時に得たいような場合には、当該測定対象を各重量計（１０Ａ，１０Ｂ，１０Ｃ）の計量台の全てに振り分けて載せることで当該測定対象の重量を容易に測定できる。
また、各重量計（１０Ａ，１０Ｂ，１０Ｃ）の重量データは、メインの重量計Ａに集約されて表示されるから、メインの重量計１０Ａの表示部１４を見るだけで測定結果を容易に把握できるという利点がある。
また、サブの重量計１０Ｂ及び１０Ｃの起動スイッチのオン操作によっては、接続した一連の重量計がシステムとして動作せずに、メインの重量計１０Ａの起動スイッチのオン操作によってだけ接続した一連の重量計がシステムとして動作するため、本発明の重量計を複数接続して、システムとして用いる場合には、起動に際してメインの重量計の起動スイッチだけを管理すれば誤起動を防止できるという利点がある。
【００３８】
図１２は、各重量計（１０Ａ，１０Ｂ，１０Ｃ）の重量データが、重量計とは別の処理装置２００に集約されて表示されるという公知の態様（以下、「対比例」という）の概略構成図である。図１２に示すように、対比例においては、各重量計の重量データは出力ケーブル１００を介して個別に処理装置２００へ送られる。そして、処理装置２００は、各重量計の重量データを集約して表示する。これに対して、本実施形態においては、各重量計（１０Ａ，１０Ｂ，１０Ｃ）の重量データはメインの重量計１０Ａに集約されて表示されるから、対比例のように、各重量計の重量データを集約して表示するための処理装置２００を重量計とは別に設ける必要は無い。したがって、本実施形態によれば、対比例に比べて構成を簡素化できるという利点がある。
【００３９】
＜Ａ−６：単独使用時の動作＞
次に、起動スイッチ１６がオン操作されたときに、当該重量計は単独で使用されると判定された場合（図４に示すステップＳ５）における当該重量計の動作について簡単に説明する。いま、上述の重量計１０Ａの第２ポート４４に通信用ケーブル２０Ａが接続されていない場合を想定する。
図４に示すステップＳ５において、当該重量計は単独で使用されると判定されると、
当該重量計１０Ａのマイクロコンピュータは、当該重量計１０Ａの重量測定部３０によるゼロデータの測定を制御する。
【００４０】
続いて、重量計１０Ａの計量台１２に測定対象が載ったり又は載せられると、当該重量計１０Ａのマイクロコンピュータは、当該重量計１０Ａの重量測定部３０による重量データの測定を制御する。
【００４１】
＜Ｂ：第２実施形態＞
次に、本発明の第２実施形態に係る重量計（１０Ａ，１０Ｂ，１０Ｃ）について説明する。第１実施形態では、メインの重量計の起動スイッチ１６がオン操作されたときだけ、接続した一連の重量計がシステムとして機能するものであったが、第２実施形態では、メイン又はサブのいずれの重量計の起動スイッチ１６がオン操作されても、接続した一連の重量計がシステムとして機能するものである。以下、その具体的な内容について説明する。
【００４２】
＜Ｂ−１：構成＞
本実施形態に係る重量計（１０Ａ，１０Ｂ，１０Ｃ）の外観や接続態様は上述の第１実施形態と同じであり、図１および図３に示すとおりである。上述の第１実施形態と同様に、本実施形態に係る各重量計のマイクロコンピュータ７０の判定部７１は、起動スイッチ１６がオン状態になるように操作されたことを検知すると、当該重量計が、メインの重量計なのか、サブの重量計なのかを判定する。そして、マイクロコンピュータ７０の起動信号送信部７３は、判定部７１の判定結果、当該重量計がメインの重量計であると判定された場合は、下位の重量計へ起動信号を送信する。また、起動信号送信部７３は、判定部７１の判定結果、当該重量計がサブの重量計であって、且つ、下位の重量計と通信可能であると判定された場合（すなわち、当該重量計が末端以外のサブの重量計であると判定された場合）は、上位の重量計および下位の重量計へ起動信号を送信する機能を有する点で第１実施形態と異なる。さらに、起動信号送信部７３は、判定部７１の判定結果、当該重量計がサブの重量計であって、且つ、下位の重量計と通信不能であると判定された場合（すなわち、当該重量計が末端のサブの重量計であると判定された場合）は、上位の重量計へ起動信号を送信する機能を有する点で第１実施形態と異なる。
【００４３】
また、本実施形態に係る判定部７１は、起動信号の受信を検知すると、当該重量計が、メインの重量計なのか、末端以外のサブの重量計なのか、末端のサブの重量計なのかを判定する。本実施形態に係る判定部７１は、起動信号の受信を検知すると、当該重量計がメインの重量計なのかを判定する機能を有する点で第１実施形態と異なる。本実施形態に係る起動信号送信部７３は、判定部７１の判定結果、当該重量計が末端のサブの重量計であると判定された場合は、第１実施形態と同様に、受信した起動信号を他の重量計へ送信することは行わない。また、本実施形態に係る起動信号送信部７３は、判定部７１の判定結果、当該重量計がメインの重量計であると判定された場合は、受信した起動信号を他の重量計へ送信することは行わない機能を有する点で第１実施形態と異なる。さらに、本実施形態に係る起動信号送信部７３は、判定部７１の判定結果、当該重量計が末端以外のサブの重量計であると判定された場合は、受信した起動信号を、上位の重量計および下位の重量計のうち当該重量計に対して起動信号を送信していない方の重量計へ送信する機能を有する点で第１実施形態と異なる。
【００４４】
＜Ｂ−２：起動スイッチがオン作動されたときの重量計の動作＞
接続されたこれら重量計のうちのいずれかの重量計の起動スイッチ１６がオン作動されたときの当該重量計の動作について説明する。図１３は、起動スイッチ１６がオン作動されたときの当該重量計の具体的な動作を示すフローチャートである。先ず、ユーザーによって、いずれかの重量計の起動スイッチ１６がオン操作されると（ステップＳ１）、電源から当該重量計の電気系統各部に電力が供給される。当該重量計のマイクロコンピュータ７０の判定部７１は、起動スイッチ１６がオン状態になるように操作されたことを検知すると、当該重量計が、メインの重量計なのか、末端以外のサブの重量計なのか、末端のサブの重量計なのか、あるいは単独で使用されるのかを判定する。そして、当該重量計のマイクロコンピュータ７０の起動信号送信部７３は、判定部７１によって、当該重量計がメインの重量計であると判定された場合は、下位の重量計へ起動信号を送信し、当該重量計が末端以外のサブの重量計であると判定された場合は、上位の重量計および下位の重量計の各々へ起動信号を送信し、当該重量計が末端のサブの重量計であると判定された場合は、上位の重量計へ起動信号を送信し、当該重量計が単独使用であると判定された場合には、起動信号の送信を行わない。以下、その具体的な内容を説明する。
【００４５】
図１３のステップＳ２〜ステップＳ８において、当該重量計は、メインの重量計なのか、サブの重量計なのか、あるいは単独で使用されるのかの判定処理が行われる。図１３のステップＳ２〜ステップＳ８の内容は、図４のステップＳ２〜ステップＳ８において説明した内容と同じなので省略する。また、図１３のステップＳ９〜ステップＳ１１の内容は、図５のステップＳ１０〜ステップＳ１２において説明した内容と同じなので省略する。
【００４６】
以下、第１実施形態と異なるステップＳ１２〜ステップＳ１７について説明する。
ステップＳ７の後、末端以外（中間）に位置するサブの重量計であると判定された重量計のマイクロコンピュータ７０は、当該重量計の第１ポート４２から起動信号を上位の重量計へ出力し、また、第２ポート４４から起動信号を下位の重量計へ出力する（ステップＳ１２）。
当該重量計のマイクロコンピュータ７０は、当該重量計の重量測定部３０によるゼロデータの測定を制御する（ステップＳ１３）。
当該重量計のマイクロコンピュータ７０は、当該重量計の第２ポート４４から下位の重量計のゼロデータが送信されてくるのを待ち、下位の重量計のゼロデータを受信すると、その受信したゼロデータと自身のゼロデータとを上位の重量計へ送信するように制御する（ステップＳ１４）。
【００４７】
ステップＳ８の後、末端に位置するサブの重量計であると判定された重量計のマイクロコンピュータは、当該重量計の第１ポート４２から起動信号を上位の重量計へ送信する（ステップＳ１５）。
当該重量計のマイクロコンピュータは、当該重量計の重量測定部３０によるゼロデータの測定を制御する（ステップＳ１６）。
当該重量計のマイクロコンピュータは、自身のゼロデータを上位の重量計へ送信するように制御する（ステップＳ１７）。
【００４８】
＜Ｂ−３：上位の重量計又は下位の重量計からの起動信号を受信したときの当該重量計の動作＞
次に、上位の重量計又は下位の重量計からの起動信号を受信したときの重量計の動作について説明する。図１４は、起動信号を受信したときの重量計の具体的な動作を示すフローチャートである。上位の重量計又は下位の重量計から起動信号を受信すると、当該重量計の電源６０から当該重量計の電気系統各部に電力が供給される（ステップＳ１）。当該重量計のマイクロコンピュータ７０の判定部７１は、起動信号の受信を検知すると、当該重量計が、メインの重量計なのか、末端以外のサブの重量計なのか、末端のサブの重量計なのかを判定する。そして、当該重量計のマイクロコンピュータ７０の起動信号送信部７３は、判定部７１によって、当該重量計がメインの重量計または末端のサブの重量計であると判定された場合は、受信した起動信号を他の重量計へ送信することは行わず、判定部７１によって、当該重量計が末端以外のサブの重量計であると判定された場合は、受信した起動信号を、上位の重量計および下位の重量計のうち当該重量計に対して起動信号を送信していない方の重量計へ送信する。以下、その具体的な内容について説明する。
【００４９】
起動信号の受信により、電源６０から当該重量計の電気系統各部に電力が供給されると、先ず、当該重量計のマイクロコンピュータ７０は、当該重量計が上位の重量計と通信可能であるか否かを判定する（ステップＳ２）。本実施形態では、マイクロコンピュータ７０は、第１ポート４２に通信用ケーブル２０が接続されていることを検知することで、当該重量計が上位の重量計と通信可能であるか否かを判定する。より具体的には、マイクロコンピュータ７０は、当該重量計の第１ポート４２から接続確認のための送信信号を送り、接続確認のための返信信号を検知した場合は、当該重量計は上位の重量計と通信可能であると判定する。一方、接続確認のための返信信号を一定時間内に検知しない場合は、当該重量計は上位の重量計と通信不能であると判定する。
ステップＳ２の結果が否定の場合、当該重量計のマイクロコンピュータ７０は、当該重量計がメインの重量計であると判定し（ステップＳ３）、当該重量計の重量測定部３０によるゼロデータの測定を制御する（ステップＳ４）。そして、当該重量計のマイクロコンピュータ７０は、第２ポート４４を介して下位の重量計のゼロデータが送信されてくるのを待ち、下位の重量計のゼロデータを受信したことを確認すると、接続した一連の重量計がシステムとして、重量測定の準備が完了したと判断する（ステップＳ５）。
【００５０】
一方、ステップＳ２の結果が肯定の場合、当該重量計のマイクロコンピュータ７０は、当該重量計が下位の重量計と通信可能であるか否かを判定する（ステップＳ６）。本実施形態では、マイクロコンピュータ７０は、第２ポート４４に通信用ケーブル２０が接続されていることを検知することで、当該重量計が下位の重量計と通信可能であるか否かを判定する。より具体的には、例えば、マイクロコンピュータ７０は、当該重量計の第２ポート４４から接続確認のための送信信号を送り、接続確認のための返信信号を検知した場合は、当該重量計は下位の重量計と通信可能であると判定する。一方、接続確認のための返信信号を一定時間内に検知しない場合は、当該重量計は下位の重量計と通信不能であると判定する。
ステップＳ６の結果が肯定の場合、当該重量計のマイクロコンピュータ７０は、当該重量計は末端以外（中間）に位置するサブの重量計であると判定する（ステップＳ７）。
【００５１】
ステップＳ７にて末端以外のサブの重量計であると判定された重量計のマイクロコンピュータ７０は、通信部４０を介して受信した起動信号を、上位の重量計および下位の重量計のうち当該重量計に対して当該起動信号を送信していない方の重量計へ出力する。より具体的には以下のとおりである。
当該重量計のマイクロコンピュータ７０は、上位の重量計（当該重量計の第１ポート４２）から起動信号を受信したのか否かを判断する（ステップＳ８）。
ステップＳ８の結果が肯定の場合、当該重量計のマイクロコンピュータ７０は、受信した起動信号を下位の重量計へ出力する（ステップＳ９）。一方、ステップＳ８の結果が否定の場合、当該重量計のマイクロコンピュータ７０は、受信した起動信号を上位の重量計へ出力する（ステップＳ１０）という具合である。
【００５２】
ステップＳ９又はステップＳ１０の後、当該重量計のマイクロコンピュータ７０は、当該重量計の重量測定部３０によるゼロデータの測定を制御し（ステップＳ１１）、当該重量計の第２ポート４４から下位の重量計のゼロデータが送信されてくるのを待ち、下位の重量計のゼロデータを受信すると、その受信したゼロデータと自身のゼロデータとを上位の重量計へ送信するように制御する（ステップＳ１２）。
【００５３】
また、ステップＳ６の結果が否定の場合、当該重量計のマイクロコンピュータ７０は、当該重量計が末端に位置するサブの重量計であると判定し（ステップＳ１３）、当該重量計の重量測定部３０によるゼロデータの測定を制御し（ステップＳ１４）、自身のゼロデータを上位の重量計へ送信するように制御する（ステップＳ１５）。
【００５４】
＜Ｂ−４：本実施形態における具体的な動作＞
次に、本実施形態の重量計（１０Ａ，１０Ｂ，１０Ｃ）のうちの何れかの重量計の起動スイッチ１６がオン操作されたときの各重量計の具体的な動作を説明する。ここでは、重量計１０Ｂの起動スイッチ１６がオン操作された場合を例に挙げて説明する。図１５は、重量計１０Ｂの起動スイッチ１６がオン操作されたときの各重量計（１０Ａ，１０Ｂ，１０Ｃ）の具体的な動作を示す図である。
【００５５】
先ず、重量計１０Ｂの起動スイッチ１６がオン操作されると、当該重量計１０Ｂは、図１３のステップＳ１→Ｓ２→Ｓ６→Ｓ７の処理を経て、当該重量計１０Ｂが末端以外（中間）に位置するサブの重量計であると判定する。
そして、当該重量計１０Ｂは、図１３のステップＳ１２の処理を行うことによって、起動信号を上位の重量計１０Ａに出力し（図１５に示すｂ１）、また、起動信号を下位の重量計１０Ｃに出力し（図１５に示すｂ２）、当該重量計１０Ｂの重量測定部３０によるゼロデータを測定し待機する。
【００５６】
重量計１０Ａは、重量計１０Ｂから起動信号を受信すると、当該重量計１０Ａは、図１４のステップＳ１→Ｓ２→Ｓ３の処理を経て、メインの重量計であると判定する。
そして、当該重量計１０Ａは、図１４のステップＳ４の処理を行うことによって、当該重量計１０Ａの重量測定部３０によるゼロデータを測定し待機する。
【００５７】
重量計１０Ｃは、重量計１０Ｂから起動信号を受信すると、図１４のステップＳ１→Ｓ２→Ｓ６→Ｓ１３の処理を経て、当該重量計１０Ｃが末端に位置するサブの重量計であると判定する。
【００５８】
そして、当該重量計１０Ｃは、図１４のステップＳ１４→Ｓ１５の処理を経て、当該重量計１０Ｃの重量測定部３０によるゼロデータを測定し、自身のゼロデータを上位の重量計１０Ｂへ送信する（図１５に示すｂ３）。
重量計１０Ｂは、図１４のステップＳ１２の処理を行うことによって、重量計１０Ｃのゼロデータと自身のゼロデータとを重量計１０Ａへ送信する（図１５に示すｂ４）。
重量計１０Ａは、図１４のステップＳ５の処理を行うことによって、接続した一連の重量計がシステムとして、重量測定の準備が完了したと判断する。
重量計１０Ａ、重量計１０Ｂ及び重量計１０Ｃは、これらそれぞれの処理後については、上述した第１実施形態における＜Ａ−５：重量測定処理＞に続く。なお、上位の重量計１０Ｂへ送信後の重量測定処理については、第１実施形態と同様であるため、説明を省略する。
【００５９】
以上に説明したように、本第２実施形態によれば、第１実施形態と同様に、測定対象の重量を容易に測定できるとともに、測定結果を容易に把握できる。
また、メインの重量計１０Ａ、サブの重量計１０Ｂ及び１０Ｃの起動スイッチのいずれがオン操作されても接続した一連の重量計がシステムとして動作するので、第１実施形態とは異なり、誤起動の防止よりも起動の融通性を優先するような測定態様の場合の利用に対して有効である。
【００６０】
＜Ｃ：第３実施形態＞
次に、本発明の第３実施形態に係る重量計（１０Ａ，１０Ｂ，１０Ｃ）について説明する。上述の各実施形態では、上位の重量計と通信不能であり、且つ、下位の重量計と通信可能である重量計がメインの重量計として機能するものであったが、第３実施形態では、起動スイッチがオン状態になるように操作された重量計がメインの重量計として機能する点で上述の各実施形態と相違する。以下、その具体的な内容について説明する。
【００６１】
＜Ｃ−１：構成＞
本実施形態に係る重量計（１０Ａ，１０Ｂ，１０Ｃ）の外観や接続態様は上述の各実施形態と同じであり、図１および図３に示すとおりである。本実施形態に係る各重量計のマイクロコンピュータ７０の判定部７１は、起動スイッチ１６がオン状態になるように操作されたことを検知すると、当該重量計はメインの重量計であると判定する一方、起動信号の受信を検知すると、当該重量計はサブの重量計であると判定する機能を有する点で上述の各実施形態と相違する。
【００６２】
＜Ｃ−２：起動スイッチがオン状態になるように操作されたときの重量計の動作＞
次に、起動スイッチ１６がオン状態となるように操作されたときの重量計の動作について説明する。図１６は、起動スイッチ１６がオン状態となるように操作されたときの重量計の具体的な動作を示すフローチャートである。先ず、ユーザーによって、いずれかの重量計の起動スイッチ１６がオン状態となるように操作されると（ステップＳ１）、当該重量計の電源６０から当該重量計の電気系統各部に対する電力の供給が開始される。当該重量計のマイクロコンピュータ７０は、起動スイッチ１６がオン状態になるように操作されたことを検知すると、当該重量計はメインの重量計であると判定する（ステップＳ２）。そして、当該マイクロコンピュータ７０は、当該重量計が、先端の重量計なのか、末端以外の重量計なのか、末端の重量計なのか、あるいは単独で使用されるのかを判定する。なお、先端の重量計とは、上位の重量計と通信不能であり、且つ、下位の重量計と通信可能な重量計である。また、末端以外の重量計とは、上位の重量計および下位の重量計と通信可能な重量計である。さらに、末端の重量計とは、上位の重量計と通信可能であり、且つ、下位の重量計と通信不能な重量計である。図１６のステップＳ３〜ステップＳ９の内容は、図１３のステップＳ２〜ステップＳ８において説明した内容と同様であるため、詳細な説明は省略する。
【００６３】
続いて、図１６のステップＳ１０〜ステップＳ１８について説明する。ステップＳ５にて先端の重量計であると判定された重量計のマイクロコンピュータ７０は、起動信号を下位の重量計へ送信する（ステップＳ１０）。そして、当該重量計のマイクロコンピュータ７０は、当該重量計の重量測定部３０によるゼロデータの測定を制御する（ステップＳ１１）とともに、下位の重量計のゼロデータが送信されてくるのを待ち、下位の重量計のゼロデータを受信したことを確認すると重量測定の準備が完了したと判断する（ステップＳ１２）。
【００６４】
ステップＳ８にて末端以外の重量計であると判定された重量計のマイクロコンピュータ７０は、上位の重量計および下位の重量計の各々に起動信号を送信する（ステップＳ１３）。そして、当該重量計のマイクロコンピュータ７０は、当該重量計の重量測定部３０によるゼロデータの測定を制御する（ステップＳ１４）とともに、上位の重量計および下位の重量計のゼロデータが送信されてくるのを待ち、上位の重量計および下位の重量計のゼロデータを受信したことを確認すると重量測定の準備が完了したと判断する（ステップＳ１５）。
【００６５】
ステップＳ９にて末端の重量計であると判定された重量計のマイクロコンピュータ７０は、起動信号を上位の重量計へ送信する（ステップＳ１６）。そして、当該重量計のマイクロコンピュータ７０は、当該重量計の重量測定部３０によるゼロデータの測定を制御する（ステップＳ１７）とともに、上位の重量計のゼロデータが送信されてくるのを待ち、上位の重量計のゼロデータを受信したことを確認すると重量測定の準備が完了したと判断する（ステップＳ１８）。
【００６６】
＜Ｃ−３：起動信号を受信したときの重量計の動作＞
次に、起動信号を受信したときの重量計の動作について説明する。図１７は、起動信号を受信したときの重量計の具体的な動作を示すフローチャートである。上位の重量計または下位の重量計から起動信号を受信すると、当該重量計の電源６０から当該重量計の電気系統各部に対する電力の供給が開始される（ステップＳ１）。マイクロコンピュータ７０は、起動信号の受信を検知すると、当該重量計はサブの重量計であると判定する（ステップＳ２）。
【００６７】
図１７のステップＳ３〜ステップＳ５の内容は、図１４のステップＳ２〜ステップＳ４において説明した内容と同じなので省略する。図１７のステップＳ４にて先端の重量計であると判定された重量計のマイクロコンピュータ７０の制御部７２は、自身のゼロデータを下位の重量計へ送信するように制御する（図１７のステップＳ６）。
【００６８】
図１７のステップＳ７〜ステップＳ１２の内容は、図１４のステップＳ６〜ステップＳ１１において説明した内容と同じなので省略する。図１７のステップＳ８にて末端以外の重量計であると判定された重量計のマイクロコンピュータ７０は、上位の重量計のゼロデータを受信すると、その受信したゼロデータと自身のゼロデータとを下位の重量計へ送信するように制御する。また、当該マイクロコンピュータ７０は、下位の重量計のゼロデータを受信すると、その受信したゼロデータと自身のゼロデータとを上位の重量計へ送信するように制御する（図１７のステップＳ１３）。
【００６９】
図１７のステップＳ１４〜ステップＳ１６の内容は、図１４のステップＳ１３〜ステップＳ１５において説明した内容と同じなので省略する。
【００７０】
＜Ｃ−４：本実施形態における具体的な動作＞
次に、本実施形態の重量計（１０Ａ，１０Ｂ，１０Ｃ）のうちの何れかの重量計の起動スイッチ１６がオン状態になるように操作されたときの各重量計の具体的な動作を説明する。ここでは、重量計１０Ｂの起動スイッチ１６がオン状態になるように操作された場合を例に挙げて説明する。図１８は、重量計１０Ｂの起動スイッチ１６がオン状態になるように操作されたときの各重量計（１０Ａ，１０Ｂ，１０Ｃ）の具体的な動作を示す図である。
【００７１】
先ず、重量計１０Ｂの起動スイッチ１６がオン状態になるように操作されると、当該重量計１０Ｂは、図１６のステップＳ２の処理により、メインの重量計であると判定される。そして、当該重量計１０Ｂは、図１６のステップＳ３→Ｓ７→Ｓ８の処理を経て、末端以外（中間）の重量計であると判定される。続いて、重量計１０Ｂは、図１６のステップＳ１３の処理により、上位の重量計１０Ａおよび下位の重量計１０Ｃへ起動信号を送信する（図１８に示すｃ１およびｃ２）。そして、重量計１０Ｂは、図１６のステップＳ１４の処理により、ゼロデータを測定する。
【００７２】
重量計１０Ａは、重量計１０Ｂから起動信号を受信すると、図１７のステップＳ２の処理により、サブの重量計であると判定される。そして、当該重量計１０Ａは、図１７のステップＳ３→Ｓ４の処理を経て、先端の重量計であると判定される。続いて、重量計１０Ａは、図１７のステップＳ５の処理により、ゼロデータを測定する。そして、重量計１０Ａは、図１７のステップＳ６の処理により、自身のゼロデータを下位の重量計へ送信する（図１８に示すｃ３）。
【００７３】
重量計１０Ｃは、重量計１０Ｂから起動信号を受信すると、図１７のステップＳ２の処理により、サブの重量計であると判定される。そして、当該重量計１０Ｃは、図１７のステップＳ３→Ｓ７→Ｓ１４の処理を経て、末端の重量計であると判定される。続いて、重量計１０Ｃは、図１７のステップＳ１５の処理により、ゼロデータを測定する。そして、重量計１０Ｃは、図１７のステップＳ１６の処理により、自身のゼロデータを上位の重量計へ送信する（図１８に示すｃ４）。
【００７４】
そして、メインの重量計である重量計１０Ｂは、上位の重量計１０Ａのゼロデータおよび下位の重量計のゼロデータの受信を確認すると、重量測定の準備が完了したと判断する（図１７のステップＳ１３参照）。
【００７５】
＜Ｃ−５：重量測定処理＞
図１８において、各重量計（１０Ａ，１０Ｂ，１０Ｃ）の重量測定の準備が完了した後、本実施形態の各重量計（１０Ａ，１０Ｂ，１０Ｃ）の計量台１２のすべてに測定対象が載せられたときの重量測定処理について説明する。図１９は、このときの重量測定処理の具体的な内容を示す図である。先ず、各重量計（１０Ａ，１０Ｂ，１０Ｃ）のマイクロコンピュータ７０は、当該重量計の計量台１２上の測定対象の重量データの測定を実行するように重量測定部３０を制御する（ステップＳ１）。
【００７６】
末端の重量計１０Ｃのマイクロコンピュータ７０の制御部７２は、当該重量計１０Ｃの重量測定部３０で測定された重量データを上位の重量計１０Ｂへ送信するように制御する（ステップＳ２）。また、先端の重量計１０Ａのマイクロコンピュータ７０の制御部７２は、当該重量計１０Ｃの重量測定部３０で測定された重量データを下位の重量計１０Ｂへ送信するように制御する（ステップＳ３）。
【００７７】
重量計１０Ｂのマイクロコンピュータ７０の制御部７２は、上位の重量計１０Ａおよび下位の重量計１０Ｃの重量データを受信すると、その受信した重量データと当該重量計１０Ｂの重量データとを集約して、当該重量計１０Ｂの表示部１４に表示させるように制御する（ステップＳ４）。要するに、上述の各実施形態と同様に、本実施形態に係るマイクロコンピュータ７０の制御部７２は、判定部７１によって当該重量計はメインの重量計であると判定された場合は、当該重量計の重量測定部３０により測定された重量データと、他の重量計の重量データとを集約して、当該重量計の表示部１４に表示させる一方、判定部７１によって当該重量計はサブの重量計であると判定された場合は、当該重量計の重量測定部３０により測定された重量データをメインの重量計へ送信するように制御する。
【００７８】
以上に説明したように、本第３実施形態によれば、第１実施形態と同様に、測定対象の重量を容易に測定できるとともに、測定結果を容易に把握できる。
また、各重量計（１０Ａ、１０Ｂ、１０Ｃ）のうち、起動スイッチをオン状態になるように操作された重量計だけがメインの重量計となるため、各重量計（１０Ａ、１０Ｂ、１０Ｃ）の重量データの集約させる位置の選択が簡便にできるという利点がある。
【００７９】
＜Ｄ：変形例＞
本発明は上述した実施形態に限定されるものではなく、例えば、以下の変形が可能である。また、以下に示す変形例のうちの２以上の変形例を組み合わせることもできる。
【００８０】
（１）変形例１
上述の各実施形態では、３つの重量計（１０Ａ，１０Ｂ，１０Ｃ）が、各々の通信部４０を介して通信可能な状態に接続されている態様について説明したが、これに限らず、重量計の数は任意である。例えば４つ以上の重量計が、各々の通信部４０を介して通信可能な状態に接続される態様とすることもできるし、２つの重量計が、各々の通信部４０を介して通信可能な状態に接続される態様とすることもできる。
【００８１】
なお、２つの重量計が、各々の通信部４０を介して通信可能な状態に接続される態様においては、末端以外のサブの重量計は存在しない。
したがって、上述の第１実施形態及び第２実施形態のような場合には、各重量計のマイクロコンピュータ７２は、下位の重量計から通信部４０を介して受信した重量データ（ゼロデータを含む）と当該重量計の重量測定部３０から出力された重量データ（ゼロデータを含む）とを上位の重量計へ送信するように制御するという機能を有する必要は無い。すなわち、各重量計のマイクロコンピュータ７２は、当該重量計がメインの重量計であると判定された場合は、下位の重量計から通信部４０を介して受信した重量データと重量測定部３０により測定された重量データとを集約して表示部１４に表示させる一方、当該重量計が末端のサブの重量計であると判定された場合は、当該重量計の重量測定部３０により測定された重量データを、通信部４０を介して上位の重量計へ送信するように制御するという機能を有するものであればよい。
また、上述の第３実施形態のような場合には、各重量計のマイクロコンピュータ７２は、上位又は下位の重量計から通信部４０を介して受信した各重量データ（各ゼロデータも同様）と当該重量計の重量測定部３０により測定された重量データ（ゼロデータも同様）とを上位の重量計へ送信するように制御するという機能を有する必要は無い。すなわち、各重量計のマイクロコンピュータ７２は、当該重量計がメインの重量計であると判定された場合は、上位又は下位の重量計から通信部４０を介して受信した重量データと重量測定部３０により測定された重量データとを集約して表示部１４に表示させる一方、当該重量計が末端のサブの重量計であると判定された場合は、当該重量計の重量測定部３０により測定された重量データを、通信部４０を介して上位の重量計へ送信するように制御するという機能を有するものであればよい。
【００８２】
（２）変形例２
上述の各実施形態では、各重量計同士は通信用ケーブル２０（有線）で接続されることで通信可能な状態になる態様が例示されているが、これに限らず、例えば、各重量計における通信部４０が無線用アンテナで構成され、各重量計同士は無線によって通信可能な状態になるという態様であってもよい。要するに、各重量計における通信部４０は、上位の重量計および下位の重量計のうち少なくとも一方の通信を行うための手段であればよい。
【００８３】
（３）変形例３
上述の各実施形態では、メインの重量計が、各重量計の重量データを集約して表示するという態様が例示されているが、これに限らず、例えば、サブの重量計が、各重量計の重量データをメインの重量計から受信し、その受信した各重量計の重量データを集約して表示するという態様とすることもできる。
【００８４】
（４）変形例４
上述の第１実施形態および第２実施形態では、末端以外のサブの重量計１０Ｂのマイクロコンピュータ８２は、第２ポート４４を介して下位の重量計１０Ｃから受信した重量データを、当該重量計１０Ｂの重量データの末尾に付加してシリアルなデータとしているが、これに限らず、例えば重量計１０Ｂのマイクロコンピュータ７０は、通信部４０を介して下位の重量計１０Ｃから受信した重量データを、当該重量計１０Ｂの重量データの先頭に付加してシリアルなデータとするという態様であってもよい。
【００８５】
（５）変形例５
上述の各実施形態では、メインの重量計に各重量計の重量データを集約して表示するという態様が例示されているが、これに限らず、メインの重量計にＰＣ（Personal Computer）などの処理装置を接続して、当該処理装置に各重量計のデータを集約して表示することもできる。
【００８６】
（６）変形例６
上述の第１実施形態では、図４に示すステップＳ２の結果が肯定の場合、マイクロコンピュータ７０は、当該重量計が下位の重量計と通信可能であるか否かをさらに判定しているが、これに限らず、図４に示すステップＳ２の結果が肯定の場合、マイクロコンピュータ７０は、直ちに当該重量計の動作をオフにするという態様であってもよい。当該重量計が上位の重量計と通信可能であると判定された場合、当該重量計はサブの重量計であることが直ちに分かるからである。この態様によれば、当該重量計が下位の重量計と通信可能であるか否かをさらに判定する必要は無いから、マイクロコンピュータ７０の制御処理を少なくすることができる（制御負荷を軽減できる）という利点がある。
【符号の説明】
【００８７】
１０Ａ，１０Ｂ，１０Ｃ……重量計、１２……計量台、１４……表示部、１６……起動スイッチ、２０……通信用ケーブル、３０……重量計測部、４０……通信部、４２……第１ポート、４４……第２ポート、６０……電源、７０……マイクロコンピュータ、７１……判定部、７２……制御部、７３……起動信号送信部。
【図１】
2010243279.tif 000003
【図２】
2010243279.tif 000004
【図３】
2010243279.tif 000005
【図４】
2010243279.tif 000006
【図５】
2010243279.tif 000007
【図６】
2010243279.tif 000008
【図７】
2010243279.tif 000009
【図８】
2010243279.tif 000010
【図９】
2010243279.tif 000011
【図１０】
2010243279.tif 000012
【図１１】
2010243279.tif 000013
【図１２】
2010243279.tif 000014
【図１３】
2010243279.tif 000015
【図１４】
2010243279.tif 000016
【図１５】
2010243279.tif 000017
【図１６】
2010243279.tif 000018
【図１７】
2010243279.tif 000019
【図１８】
2010243279.tif 000020
【図１９】
2010243279.tif 000021